(57)【要約】【課題】引掛刃が被取付部材に取り付けられる前の状態で引掛刃を保持する引掛刃保持部が一体化されたＬＥＤ照明装置において、ＬＥＤ素子から出射された光の取出効率を高めることができる構造を提供する。【解決手段】ＬＥＤ照明装置１は、引掛刃２８１が被取付部に取り付けられる前の状態で、引掛刃２８１を保持する引掛刃保持部２５がベース板２１と一体化されたベース部材２と、複数のＬＥＤ素子３１がＬＥＤ基板３３に実装されてなり且つベース板２１に搭載されるＬＥＤモジュール３と、ＬＥＤモジュール３を覆うカバー６とを備え、カバー６は、ＬＥＤモジュール３と対向する状態で、ベース部材２に固着されている。【選択図】図２
2018060608.tif 000002
【特許請求の範囲】
【請求項１】
設置面の被取付部材に引掛刃が取付けられて使用するＬＥＤ照明装置において、
前記引掛刃が前記被取付部に取り付けられる前の状態で、前記引掛刃を保持する引掛刃保持部がベース板と一体化されたベース部材と、
複数のＬＥＤ素子がＬＥＤ基板に実装されてなり且つ前記ベース板に搭載されるＬＥＤモジュールと、
前記ＬＥＤモジュールを覆うカバーと
を備え、
前記カバーは、前記ＬＥＤモジュールと対向する状態で、前記ベース部材に固着されている
ＬＥＤ照明装置。
【請求項２】
前記引掛刃保持部は透過性を有し、
前記カバーは前記引掛刃保持部に対応する部分に開口を有する
請求項１に記載のＬＥＤ照明装置。
【請求項３】
前記ＬＥＤモジュールへ電力を供給する電源回路ユニットが前記ベース部材の裏面に装着されている
請求項１又は２に記載のＬＥＤ照明装置。
【請求項４】
前記電源回路ユニットは有底筒状の電源回路カバーにより覆われ、
前記電源回路カバーは当該電源回路カバーの内外を連通可能とする貫通孔を有する
請求項３に記載のＬＥＤ照明装置。
【発明の詳細な説明】
【技術分野】
【０００１】
本発明は、光源としてのＬＥＤ素子を備えるＬＥＤ照明装置に関する。
【背景技術】
【０００２】
従来から、例えばアダプタを利用して引掛けシーリング等の被取付部材に取り付けられるＬＥＤ照明装置がある（例えば特許文献１、２）。
一方、アダプタを利用せずに被取付部材に取り付けられるＬＥＤ照明も提案されている（例えば特許文献３）。
特許文献３に記載のＬＥＤ照明装置は、引掛刃が被取付部材に取り付けられる前の状態において、被取付部材に取り付けられる引掛刃を保持する引掛刃保持部材とＬＥＤ素子が配されるベース部材とが一体化された構成を有する。
【先行技術文献】
【特許文献】
【０００３】
【特許文献１】特許第５７９０９３２号公報
【特許文献２】特開２０１４−１２０４００号公報
【特許文献３】特許第５７９３２６５号公報
【発明の概要】
【発明が解決しようとする課題】
【０００４】
上記特許文献３に記載のＬＥＤ照明装置は、引掛刃を被取付部材に取り付けた後に、ＬＥＤ素子を覆う透光性カバーをベース部材に取り付けている。つまり、引掛刃を被取付部に取り付ける際に、ＬＥＤ素子が剥き出しになるのを防止するために、ＬＥＤ素子を覆う保護カバーを設けている。
このため、ＬＥＤ照明装置の光の取出効率が約３％程度悪くなるという問題がある。
本発明は、引掛刃が被取付部材に取り付けられる前の状態で引掛刃を保持する引掛刃保持部が一体化されたＬＥＤ照明装置において、ＬＥＤ素子から出射された光の取出効率を高めることができる構造を提供することを目的とする。
【課題を解決するための手段】
【０００５】
本発明に係るＬＥＤ照明装置は、設置面の被取付部材に引掛刃が取付けられて使用するＬＥＤ照明において、前記引掛刃が前記被取付部に取り付けられる前の状態で、前記引掛刃を保持する引掛刃保持部がベース板と一体化されたベース部材と、複数のＬＥＤ素子がＬＥＤ基板に実装されてなり且つ前記ベース板に搭載されるＬＥＤモジュールと、前記ＬＥＤモジュールを覆うカバーとを備え、前記カバーは、前記ＬＥＤモジュールと対向する状態で、前記ベース部材に固着されている。
【発明の効果】
【０００６】
上記構成によれば、引掛刃が被取付部材に取り付けられる前の状態で、カバーがベース部材に固着されている。このため、カバー内でＬＥＤ素子を覆う保護カバーが不要となり、光の取出効率を高めることができる。
【図面の簡単な説明】
【０００７】
【図１】（ａ）はＬＥＤ照明装置を表側から見た斜視図であり、（ｂ）はＬＥＤ照明装置を裏側から見た図である。
【図２】ＬＥＤ照明装置の断面図である。
【図３】ＬＥＤ照明装置を分解した状態を表側から見た斜視図である。
【図４】ＬＥＤ照明装置を分解した状態を裏側から見た斜視図である。
【図５】（ａ）はベース部材を表側から見た斜視図であり、（ｂ）はベース部材を裏側から見た斜視図である。
【図６】（ａ）はベース部材の断面を表側から見た拡大斜視図であり、（ｂ）はベース部材の断面を裏側から拡大斜視図である。
【図７】（ａ）はベース部材を表側から見た図であり、（ｂ）はベース部材を裏側から見た図である。
【図８】（ａ）はベース部材にＬＥＤモジュールが半分装着した状態を表側から見た図であり、（ｂ）はベース部材に電源回路ユニットが装着した状態を裏側から見た図である。
【図９】（ａ）は透光性カバーとセンターカバーとを外した状態の断面を表側から見た拡大斜視図であり、（ｂ）は透光性カバーとセンターカバーとを外した状態の断面を裏側から見た拡大斜視図である。
【図１０】（ａ）は電源回路カバーの断面を表側から見た斜視図であり、（ｂ）は電源回路カバーの断面を裏側から見た斜視図である。
【図１１】（ａ）はセンターカバーを外した状態の断面を表側から見た拡大斜視図であり、（ｂ）は透光性カバーを表側にズラして外した状態の断面を表側から見た拡大斜視図である。
【図１２】（ａ）はＬＥＤ照明装置の外周部を表側から見た拡大断面斜視図であり、（ｂ）はＬＥＤ照明装置の内周部を表側から見た拡大断面斜視図である。
【図１３】（ａ）は透光性カバーの内周部分を表側から見た拡大斜視図であり、（ｂ）は透光性カバーの内周部分を裏側から見た拡大斜視図である。
【図１４】センターカバーを取り外した状態を表側から見た拡大斜視図である。
【図１５】センターカバーを表側にズラして外した状態の断面を見た拡大斜視図である。
【発明を実施するための形態】
【０００８】
＜概要＞
実施形態の一態様に係るＬＥＤ照明装置は、設置面の被取付部材に引掛刃が取付けられて使用するＬＥＤ照明装置であり、前記引掛刃が前記被取付部に取り付けられる前の状態で、前記引掛刃を保持する引掛刃保持部がベース板と一体化されたベース部材と、複数のＬＥＤ素子がＬＥＤ基板に実装されてなり且つ前記ベース板に搭載されるＬＥＤモジュールと、前記ＬＥＤモジュールを覆うカバーとを備え、前記カバーは、前記ＬＥＤモジュールと対向する状態で、前記ベース部材に固着されている。ここでいう「対向する」とは、カバーとＬＥＤモジュールとの間に空気以外の物質・物体が存在しないことをいう。また「固着されている」とは、通常では取り外すことができず、道具を用いるとカバーをベース部材から取り外すことができるような取り付けをいう。
実施形態の別態様に係るＬＥＤ照明装置において、前記引掛刃保持部は透過性を有し、前記カバーは前記引掛刃保持部に対応する部分に開口を有する。ここでいう「透過性を有する」とは、表側から引掛刃の位置を確認できるような透過度を有することをいう。
実施形態の別態様に係るＬＥＤ照明装置において、前記ＬＥＤモジュールへ電力を供給する電源回路ユニットが前記ベース部材の裏面に装着されている。これにより、電源回路ユニットからＬＥＤモジュールへ給電するための給電ケーブルを短くできる。
実施形態の別態様に係るＬＥＤ照明装置において、前記電源回路ユニットは有底筒状の電源回路カバーにより覆われ、前記電源回路カバーは電源回路カバーの内外を連通可能とする貫通孔を有する。これにより、電源回路ユニットの温度上昇を抑制できる。
【０００９】
＜実施形態＞
１．概要
実施形態に係るＬＥＤ照明装置１は、図１に示すように、図外の天井等の設置面の引掛シーリングや引掛ローゼット等の被取付部材に取り付けられて使用する、所謂、シーリングライトである。なお、ＬＥＤ照明装置１から光が出射される主出射方向側を表側とし、設置面側を裏側とする。また、ＬＥＤ照明装置１の中心を通り設置面と直交する仮想線を中心軸とする。
ＬＥＤ照明装置１は、図１〜図４、特に図３及び図４に示すように、ベース部材２を備え、ベース部材２の表側にＬＥＤモジュール３を備える。ＬＥＤ照明装置１はＬＥＤモジュール３の点灯を制御する電源回路ユニット４を備える。ＬＥＤ照明装置１は電源回路ユニット４を覆う電源回路カバー５を備える。ＬＥＤ照明装置１はＬＥＤモジュール３を覆う透光性カバー６を備える。透光性カバー６は中央に開口６ａを有しており、ＬＥＤ照明装置１は開口６ａを塞ぐセンターカバー９を備える。なお、透光性カバー６は本発明の「カバー」の一例に相当する。
本実施形態では電源回路ユニット４がベース部材２の裏側に配されている。また、本実施形態では透光性カバー６は、フレーム７及びシェード８から構成されている。
以下、各部について説明する。
【００１０】
２．各部構成
（１）ベース部材
図３〜図７、特に図５〜図７を用いて説明する。
ベース部材２は金属製のベース板２１と樹脂製の引掛刃保持部２５とを一体に備える一体成形品である。ベース板２１と引掛刃保持部２５とは例えばインサート成形やアウトサート成形等により一体化されている。成形型の費用を考慮するとアウトサート成形の方が好ましい。
ベース板２１は、図８に示すように、ＬＥＤモジュール３及び電源回路ユニット４を搭載する機能を有する。引掛刃保持部２５は、図５の（ｂ）に示すように、一対の引掛刃２８１，２８１を保持する機能を有する。
【００１１】
（１−１）ベース板
主に図５及び図７を用いて説明する。
ベース板２１は、平板をプレス加工したもので、凹凸を有している。
ベース板２１は中央部分に引掛刃保持部２５用の貫通孔２１１（図６参照）を有する環状をしている。ここでは、貫通孔２１１は円形状に似た形状をし、外周形状も円形状をしているため、ベース板２１は全体として円環状に近い形状をしている（この形状も円環状に含むものとする。）。
ベース板２１は貫通孔２１１の周りに円環状の平坦部２１３を有している。平坦部２１３には裏側に凹入する凹入部２１５が形成されている。凹入部２１５は、周方向に等間隔をおいて径方向に延伸する径方向凹入部２１５ａと、径方向凹入部２１５ａの外周側で周方向に延伸する周方向凹入部２１５ｂとから構成される。なお、凹入部２１５はベース板２１を補強する機能を有する。なお、平坦部２１３の外周縁は周方向凹入部２１５ｂよりも外周側に位置する。
【００１２】
ベース板２１は平坦部２１３の外周側に平坦部２１３よりも裏側に凹入する外周方向凹入部２１７を有している。ベース板２１は外周方向凹入部２１７を構成する外側周壁２１７ａに連続して表側に突出する外周方向突出部２１９を有している。なお、外周方向凹入部２１７は凹入底に平坦部分を、外周方向突出部２１９の突出先端に平坦部分２１９ａをそれぞれ有している。
平坦部２１３の表面にはＬＥＤモジュール３が搭載される（図８の（ａ）参照）。平坦部２１３の裏側には電源回路ユニット４が搭載される（図８の（ｂ）参照）。平坦部２１３の裏側は電源回路カバー５により覆われ、当該電源回路カバー５は平坦部２１３に固定される（図９の（ａ）参照）。外周方向突出部２１９には透光性カバー６の一部を構成するフレーム７が固定される（図１２の（ａ））。
換言すると、ベース板２１は、ＬＥＤモジュール３を搭載するモジュール搭載部を表面に、電源回路ユニット４を搭載するユニット搭載部を裏面に、フレーム７を装着するフレーム装着部を外周側にそれぞれ有している。
【００１３】
（１−２）引掛刃保持部
主に図５〜図７を用いて説明する。
引掛刃保持部２５はベース板２１に一体成形で設けられた樹脂成形体２５１を有する。樹脂成形体２５１は透過性を有する樹脂材料で構成されている。樹脂成形体２５１は絶縁性を有する樹脂材料で構成されている。ここでは、樹脂成形体２５１はポリカーボネートが使用されている。
引掛刃保持部２５は設置面側の被取付部材に取り付けられる一対の引掛刃２８１，２８１を樹脂成形体２５１に有する。引掛刃保持部２５は、引掛刃２８１，２８１が被取付部から外れるのを規制するロック機構２８３を樹脂成形体２５１に有している。
【００１４】
樹脂成形体２５１は有底筒状に似た形状をしている。樹脂成形体２５１は、少なくとも、筒部と底部と外鍔部とを有している。なお、樹脂成形体２５１の開口は表側に存在する。ここでの樹脂成形体２５１は、段付き筒部２５３と、段付き筒部２５３の開口側端に設けられた外鍔部２５５と、段付き筒部２５３における開口側端と反対側に設けられた底部２５７とを有する。なお、段付き筒部２５３の中心軸はＬＥＤ照明装置１の中心軸と一致する。
【００１５】
段付き筒部２５３は中心軸と直交する断面が円環状をした円筒状をしている。段付き筒部２５３は、開口側に設けられた大径筒部分２５３ａと、底部２５８側に設けられた小径筒部分２５３ｂとを備え、大径筒部分２５３ａと小径筒部分２５３ｂとの間に段差が存在する。ここで、大径筒部分２５３ａと小径筒部分２５３ｂとの間に存在し且つ段付き筒部２５１ａの中心軸と略直交する平坦部分を段底部分２５３ｃとする。
大径筒部分２５３ａには、図１１の（ａ）に示すように、透光性カバー６の一部を構成するシェード８の開口（６ａ）周辺に存する内周部８５が嵌ると共に内周部８５が固定される。つまり、段付き筒部２５３の大径筒部分２５３ａ側はシェード８の内周部８５を固定する固定部となっている。
【００１６】
外鍔部２５５はベース板２１の貫通孔２１１の周辺部に密着する。ここでの外鍔部２５５はベース板２１の貫通孔２１１の周辺部の表側に密着する。ここでの外鍔部２５５の外周縁形状は表側から見たときにＬＥＤモジュール３に対応した正八角形状をしている。
外鍔部２５５はベース板２１の貫通孔を挿通する突出部分２５５ａを周方向に沿って複数個有している。突出部分２５５ａは貫通孔を通過してベース板２１の裏側で貫通孔よりも大きくなっている（図５及び図６参照）。これによりベース板２１と樹脂成形体２５１とを強固に結合できる。
外鍔部２５５は電源回路ユニット４とＬＥＤモジュール３とを接続する給電ケーブル（図示省略）を通すための孔２５５ｂを有している（図５及び図７参照）。なお、ここでの孔２５５ｂは周方向に長い形状をしている。
外鍔部２５５は樹脂成形体２５１を形成する際にベース板２１を支持するために生じる孔２５５ｄを有している。孔２５５ｄは、虫・粉塵等が透光性カバー６とＬＥＤモジュール３の間に侵入しないように封止材料（例えば、ポリ塩化ビニル（ＰＶＣ）等により塞がれている（図示省略）。
【００１７】
底部２５７は内部に空間を有する状態で表側に突出する突出部分２５７ａを有している。突出部分２５７ａには一対の引掛刃２８１，２８１が固定具の一例であるねじ体２８５に（図６の（ｂ）参照）より固定されたり、ロック機構２８３が設けられたりする。底部２５７は突出部分２５７ａの基部から外周へと延びる凹入溝２５７ｂを有している（図５及び図７参照）。この凹入溝２５７ｂには、一対の引掛刃２８１，２８１と電源回路ユニット４とを接続する受電ケーブル２９が配される（図５及び図７参照）。このとき、受電ケーブル２９を、電源回路ユニット４に近接させないように配線することにより、電源回路ユニット２９の誤動作を防止することができる。
【００１８】
（２）ＬＥＤモジュール
主に図８の（ａ）を用いて説明する。
図８の（ａ）では、ベース板２１の径方向凹入部２１５ａとＬＥＤモジュール３との位置関係が分かるように、右側のＬＥＤモジュール３を取り外している。
ＬＥＤモジュール３は複数個、例えば８個ある（図３及び図４参照。）。８個のＬＥＤモジュール３はベース板２１の中央の引掛刃保持部２５を囲んで環状に配されている。
ＬＥＤモジュール３は、複数個のＬＥＤ素子３１と、当該複数個のＬＥＤ素子３１が実装されるＬＥＤ基板３３とを有する。ここでの複数個のＬＥＤ素子３１は調色点灯するために発光色の異なる複数種類（例えば昼白色と電球色の２種類っである）が用いられている。
【００１９】
各ＬＥＤ基板３３は正八角環形状の８分の１個を形成する外側拡がりの台形状に似た形状（この形状も台形状に含まれる）をしている。各ＬＥＤ基板３３は内周側と外周側であって周方向の略中央でベース板２１に固定具の一例であるねじ体３６により固定されている。
周方向に隣接するＬＥＤ基板３３は内周側で２本のリード線（ジャンパー線）３４ａ，３４ｂで接続されている。なお、２本のリード線３４ａ，３４ｂは発光色が異なる２種類のＬＥＤ素子３１への給電用である。ほとんどのリード線３４ａ，３４ｂは、ベース板２１の径方向凹入部２１５ａ上に設けられて、ベース板２１と離間距離を取ることができる構成となっている。なお、ＬＥＤ基板３３のグランドは金属製のベース板２１を利用している。
【００２０】
８個のＬＥＤ基板３３のうち、１つのＬＥＤ基板３３Ａには、電源回路ユニット４に接続された給電ケーブルと接続するためのソケット（図示省略）が設けられている。ソケットはＬＥＤ基板３３Ａにおけるベース板２１の孔２５５ｂ（図５参照）の近傍に設けられ、コネクタカバー３９により覆われている。
コネクタカバー３９は、ＬＥＤ基板３３の内周側の一部を覆うと共にベース板２１の孔２５５ｂも覆う。これによりベース部材２の裏側からＬＥＤモジュール３のある表側への虫・粉塵等の侵入を防止できるとともに、電安法の配線同士の離間距離の問題も解決できる。コネクタカバー３９は固定具の一例であるねじ体３９１によりベース板２１に固定されている。
【００２１】
コネクタカバー３９は、コネクタを覆うカバー本体部３９ａと、カバー本体部３９ａに連結して設けられた筒状部３９ｂとを有している。８個のＬＥＤ基板３３のうち、１つのＬＥＤ基板３３Ａには常夜灯３５が設けられている。常夜灯３５は、コネクタカバー３９の筒状部３９ｂ内に位置するように設けられている。これにより、常夜灯３５が点灯した際に、コネクタカバー３９等の影がシェード８に映るのを防止できる。
８個のＬＥＤ基板３３のうち、１つのＬＥＤ基板３３Ａにはリモコン用の送信素子３７と受信素子３８とが設けられている。
【００２２】
（３）電源回路ユニット
主に図８の（ｂ）を用いて説明する。
電源回路ユニット４は、ＬＥＤ素子３１に供給する電力を交流電力（商用電源）から生成するための電力変換回路や、調光点灯するための調光回路や、調色点灯するための調色回路等を備える。なお、調光を各発光色のＬＥＤ素子３１単位で行うことが可能なので、各発光色のＬＥＤ素子３１に給電する電流をそれぞれ調整することで調色することができる。
電源回路ユニット４は、複数個の回路部品（図示省略）と、回路部品が実装される回路基板４３とを備える。なお、言うまでもなく、回路部品は上記回路を構成する電子部品である。
回路基板４３はベース板２１と対向する面（表面）に回路部品実装用の配線パターンを有している。背の低い電子部品は回路基板４３の表側に実装されている。背の高い電子部品は回路基板４３の裏面側に配されている。背の高い電子部品のリード線は回路基板４３を貫通して表側で配線パターンと接続されている。この構成により、回路基板４３を片面の基板とすることができてコストを削減することができる。なお、受電ケーブル２９は回路基板４１の裏面のコネクタ４５に接続されている。
【００２３】
回路基板４３は、矩形状に近い形状をし、一方の長辺の中央部分が引掛刃保持部２５の外周形状に対応して円弧状に凹入している。回路基板４３は長手方向の両端に受電ケーブル２９用のコネクタ４５や給電ケーブル用のコネクタが設けられている。これにより、受電ケーブル２９や給電ケーブルの長さを短くできる。なお、給電ケーブル用のコネクタは回路基板４３の表面であってベース板２１の孔２５５ｂの近くに設けられており、図８（ｂ）に現れていない。
【００２４】
回路基板４３は、円弧状に凹入した部分の近くであって回路基板４３の長手方向に離れた位置に貫通孔を有している。この貫通孔には外鍔部２５５に形成されている突起部分２５５ｃ（図５の（ｂ）参照）が挿通する。突起部分２５５ｃはベース板２１の表側からベース板２１の貫通孔を通過して裏側に突出している。これにより、回路基板４３の位置決めを容易に行うことができる。
突起部分２５５ｃの基部から突起方向の途中までの領域にはリブが形成されている。突起部分２５５ｃの先端部が回路基板４３の貫通孔を挿通し、回路基板４３の表面がリブにより支持することで、ベース板２１と回路基板４３との間に回路部品用の空間を容易に設けることができる。
ベース部材２（ベース板２１）における径方向凹入部２１５ａのうち、回路基板４３と対向する径方向凹入部２１５ａは、図５に示すように、さらに裏側に凹入する深凹入部２１５ｃをベース板２１の中央側端部に有している。回路基板４３は、絶縁シート４９を介して深凹入部２１５ｃに当接し、突起部分２５５ｃにより支持された状態で固定されている。この深凹入部２１５ｃと突起部分２５５ｃとにより回路基板４３とベース板２１の平坦部２１３との間に空間が確保できる。なお、回路基板４３の固定には固定具の一例であるねじ体４７により行われている。
【００２５】
（４）電源回路カバー
主に図９及び図１０を用いて説明する。
電源回路カバー５は、図９に示すように、引掛刃保持部２５の底部２５７とベース板２１の外周部分（外周方向凹入部２１７と外周方向突出部２１９）を露出する状態で、ベース部材２に取り付けられている。これにより、電源回路ユニット４及び引掛刃保持部２５の底部２５７を除く大部分が覆われる。
【００２６】
電源回路カバー５は高さの低い（深さの浅い）有底筒状部５１を有する。有底筒状部５１は筒状部５１１と底部５１３とを有している。筒状部５１１の表裏方向の寸法(高さや深さである）は少なくとも収容する電源回路ユニット４の表裏方向の寸法より大きい。
有底筒状部５１は底部５１３の中央部に開口５１ａを有している。有底筒状部５１は開口５１ａの周辺部に底部５１３よりもベース部材２側に位置する平坦部５１５を有している。
有底筒状部５１の開口５１ａには、図９の（ｂ）に示すように、引掛刃保持部２５の段付き筒部２５３が嵌合する。ここでは、段付き筒部２５３における小径筒部分２５３ｂが開口５１ａに嵌合する。底部５１３は、引掛刃保持部２５の底部２５７よりも設置面側に位置し、引掛刃２８１における設置面側端と略同じ位置にある。平坦部５１５には欠け部分５１５ａ（図１０参照）を有している。欠け部分５１５ａは段付き筒部２５３の外周にある凸部分２５３ｄ（図５の（ｂ）参照）と嵌合する。これにより電源回路カバー５が引掛刃保持部２５に対して周方向に位置決めされる。なお、欠け部分５１５ａと凸部分２５３ｄとの形状は互いに対応している。また、欠け部分５１５ａと凸部分２５３ｄとを設ける部材は逆であってもよい。
有底筒状部５１は開口５１ａの周辺に引掛刃保持部２５側と係合するための係合部を有している。ここでの係合部５１５ｂは平坦部５１５の裏面からベース部材２側に延伸し、引掛刃保持部２５の被係合部２５３ｅ（図５の（ｂ）参照）に係合する。
【００２７】
底部５１３は、電源回路ユニット４に対向する部位に回路基板４３側に延伸する延伸片５１３ａを複数個（例えば２個）有している（図１０の（ａ）参照）。延伸片５１３ａの延伸先端は回路基板４３に当接する。なお、延伸片５１３ａは「十」状の横断面を有する。
有底筒状部５１は底部５１３と平坦部５１５との間であって開口５１ａを挟んで対向する２領域に傾斜部５１７を有している。傾斜部５１７は開口５１ａに近づくにしたがって設置面から離れるように傾斜する。これにより、被取付部が耳付き埋込ローゼットの場合でもＬＥＤ照明装置１の取り付けが可能となる。
なお、電源回路カバー５の裏面（設置面側の面）には弾性部材（ここではスポンジ５５である。）が設けられている。これにより、ＬＥＤ照明装置１の設置面に対する隙間を埋めてガタツキをなくすることができる。
【００２８】
有底筒状部５１は電源回路カバー５の内外を連通可能にする連通部５１９を有している。ここでの連通部５１９は筒状部５１１における底部５１３に近い部位に周方向に沿って複数個設けられている。連通部５１９は中心軸に向かって凹入する凹み５１９ａの側板に形成された孔（隙間）５１９ｂにより構成されている。なお、孔５１９ｂの大きさを０．２[ｍｍ]以下とし、放熱効果を妨げずに虫・粉塵等の侵入を防止している。
【００２９】
電源回路カバー５は有底筒状部５１以外にベース部５３を有している。ここでのベース部５３は有底筒状部５１の開口側端から径方向の外方へと延伸する。つまり、ベース部５３は有底筒状部５１の開口側端部に外鍔状に設けられている。
ベース部５３は、有底筒状部５１の開口側端部から筒状部５１１の中心軸と直交する方向に延伸する段付き環状部５３１と、段付き環状部５３１の外周端から表側に延伸する筒部５３３とを有している。
段付き環状部５３１は、筒状部５１１の外周側に位置し且つ表側に位置する第１環状部分５３１ａと、第１環状部分５３１ａの外周側に位置し且つ第１環状部分５３１ａよりも裏側に位置する第２環状部分５３１ｂとを段差状に有している。
第１環状部分５３１ａは、図９に示すように、ベース部材２の周方向凹入部２１５ｂに当接する。電源回路カバー５のベース部材２への固定は第１環状部分５３１ａが周方向凹入部２１５ｂに当接する状態で固定具より行われる。なお、固定具はねじ体５７（図９参照）である。
【００３０】
電源回路カバー５はベース部材２に対して位置決め部５３５を有している。位置決め部５３５は第２環状部分５３１ｂの表面から表側に延伸する延伸片５３５ａにより構成されている。延伸片５３５ａは、延伸方向の基部側の横断面は「＋」状をし、その先端側が円柱状をしている。図９に示すように、横断面が「＋」状の部分がベース板２１と当接し、円柱状の部分がベース板２１の貫通孔２１３ｂ（図５参照）とＬＥＤ基板３３の貫通孔３３ａ(図８の（ａ）参照）を挿通する。なお、電源回路カバー５の位置決め部５３５によりＬＥＤ基板３３も位置決めされる。
ベース部５３の筒部５３３の延伸先端は図９に示すようにベース板２１の平坦部２１３と当接する。ベース部５３の段付き環状部５３１がベース板２１の周方向凹入部２１５ｂと当接し、ベース部５３の筒部５３３がベース板２１に当接する。これにより、電源回路カバー５内に虫・粉塵等が侵入するのを防止できる。
【００３１】
（５）透光性カバー
主に図３及び図４を用いて説明する。
透光性カバー６は複数の部材により構成されている。ここでは、透光性カバー６は２個の樹脂部材より構成されている。これにより透光性カバー６の形状設計の自由度を高めることができる。
透光性カバー６は引掛刃保持部２５と対向する部位に開口６ａを有している。つまり、透光性カバー６は環状をしている。ここでは透光性カバー６は表側（被照射面側）から見たときに円環状をしている。
透光性カバー６は、外周側に位置するフレーム７と、フレーム７の内周側に位置するシェード８とから構成される。
【００３２】
（５−１）フレーム
主に図１１及び図１２の（ａ）を用いて説明する。
フレーム７は例えば導光タイプの樹脂により構成されている。導光タイプの樹脂として例えばアクリル（ＰＭＭＡ）、汎用ポリスチレン（ＧＰＰＳ）等を利用できる。フレーム７は、ＬＥＤモジュール３を収容する空間に面する部分から入射した光を導光させて周囲へと出射する。
フレーム７はベース部材２の外周部に装着される。ここでは、フレーム７は、ＬＥＤ照明装置１を設置面の被取付部に取り付ける前の状態において、ベース部材２に固定されている。
【００３３】
フレーム７は、開口が設置面に向いた「Ｖ」字状に近い形状をしたＶ字状部をベース部材２の中心を通る仮想回転軸の周りを回転させてなる回転体構造をしている。なお、仮想回転軸は中心軸と一致する。
ここで、Ｖ字状部の外側に位置する辺により構成される円環状をした部分を外円環部７１とする。Ｖ字状部の内側に位置する辺は、仮想回転軸と平行に延伸する平行部分と、平行部分の裏側端から仮想回転軸に向かって延伸する延伸部分と、延伸部分の内周端から表側に「コ」字状に延伸するコ字状部分とを有する。上記の平行部分により構成される筒状をした部分を筒状部７３とし、上記延伸部分により構成される円環状をした部分を内円環部７５とし、コ字状部分により構成される円環状をした部分をコ字円環部７７とする。
【００３４】
外円環部７１はフレーム７内を伝わる光を出射する機能を有している。また、ＬＥＤ照明装置１の意匠性を向上させる機能を有している。外円環部７１は筒状部７３から離れるにしたがって設置面に近づくように外方へと延伸する。ここでは、外円環部７１は表側に凸な曲面状をしている。外円環部７１の外周側端部７１ａは外周側端に近づくにしたがって厚くなる。なお、外円環部７１の外周側端面は、表側端を通り且つ設置面と直交する仮想線に対して裏側端が内側（仮想回転軸側）に位置するように構成されている。これにより、外円環部７１の外周側端部から設置面側に出射する光を多くでき、設置面側をも照らすことができる。
外円環部７１の外周側端面は、表側端を通り且つ設置面と直交する仮想線に対して、３０［度］以上８０［度］以下の範囲、好ましくは、４５［度］以上６５［度］以下の範囲内に設定されている。
【００３５】
フレーム７はシェード８の外周端部を装着する機能を有している。装着機能は、筒状部７３と内円環部７５とで構成される。つまり、シェード８の外周端部を装着する装着部７８は、図１１の（ｂ）に示すように、内円環部７５の表面から筒状部７３に沿って立設する立設部分７５ａと筒状部７３とで構成される。つまり、筒状部７３と立設部分７５ａとでシェード８の外周端部が挿入する溝７８ａが構成される（図１１の（ｂ）及び図１２の（ａ）参照）。
立設部分７５ａは、図１１の（ｂ）に示すように、周方向に間隔をおいて複数個設けられている。筒状部７３は、隣接する立設部分７５ａ間に対応する部位に、シェード８の外周部８３の係合部分８３ｂ（図３及び図４参照）と係合する被係合部分７３ａを有している（図１１の（ｂ）参照）。ここでは、係合部分は凸であり、被係合部分７３ａは凹みである。
筒状部７３は、図１１の（ｂ）及び図１２の（ａ）に示すように、表側端部が外開きの段差７３ｂとなっている。筒状部７３の段差７３ｂには、図１２の（ａ）に示すように、シール用のパッキン６５が配される。パッキン６５は例えばＯリング状の透明のゴムパッキンが利用されている。
【００３６】
内円環部７５は、平板状をし、筒状部７３からコ字円環部７７にかけて裏側へと傾斜している。
コ字円環部７７は「コ」字の開口が裏側になるように構成されている。コ字円環部７７はフレーム７をベース部材２（ベース板２１に）に取り付ける機能を有している。コ字円環部７７により構成される溝７７ａ内にベース板２１の外周方向突出部２１９が収容される。ここではベース板２１の外周方向突出部２１９の平坦部分２１９ａが、コ字円環部７７の底部分に当接する。この当接状態で、フレーム７とベース板２１とが固定具により固定されている。なお、ここでの固定具の一例はねじ体７９である。
【００３７】
（５−２）シェード
主に図１１及び図１２を用いて説明する。
シェード８は主にＬＥＤモジュール３を覆う。シェード８は設置面と反対側に向かって膨出する膨出部を設置面と直交する仮想回転軸廻りに回転させた環状をしている。ここでのシェード８は被照射面側から見ると円環状をしている。なお、シェード８の中央の開口は透光性カバー６の中央の開口６ａと同じである。このため、シェード８の開口の符号も「６ａ」とする。
シェード８は、上記の膨出部により環状に構成されたシェード本体部８１と、シェード本体部８１の外周端に設けられた外周部８３と、シェード本体部８１の内周端に設けられた内周部８５とを有する。
【００３８】
シェード本体部８１を構成する膨出部は曲線状に表側に膨出する。シェード本体部８１の内周縁は、図１１の（ａ）及び図１２の（ｂ）に示すように、ベース部材２に実装されているＬＥＤモジュール３のＬＥＤ基板３３の表面近傍に位置する。換言すると、設置面と直交する方向（表裏方向）において、シェード本体部８１の内周縁は、ＬＥＤ素子３１の表側であってＬＥＤ素子３１に近い位置にある。これにより、ＬＥＤ素子３１から透光性カバー６の開口６ａ側に向けて出射された光はシェード本体部８１を通過することとなり、配光特性の調整を容易に行うことができる。また、光の取出効率も向上させることができる。
【００３９】
シェード本体部８１の外周縁は、図１１の（ａ）に示すように、ＬＥＤモジュール３の最外周に配されているＬＥＤ素子３１とフレーム７におけるコ字円環部７７の内周壁の表側端とを結ぶ仮想線Ｘ１の線上又は仮想線Ｘ１の近傍に位置している。これにより、ＬＥＤ素子３１から透光性カバーの外周側に向けて出射され且つベース部材２１により遮られない光はシェード本体部８１とフレーム７とを通過することとなり、配光特性の調整を容易に行うことができる。
【００４０】
ここで、シェード本体部８１においてＬＥＤモジュール３の最外周に配されているＬＥＤ素子３１と対向する部位又はその周辺部位を頂部８１ａとする。なお、頂部８１ａはシェード本体部８１において最も設置面から光出射方向に離れた位置である。
シェード本体部８１における内周縁から頂部８１ａまでの部分は円弧状に膨出し、シェード本体部８１における外周縁から頂部８１ａまでの部分は直線に近い円弧状に膨出している。つまり、内周縁から頂部８１ａまでの勾配は外周縁から頂部８１ａまでの勾配よりきつい。換言すると、内周縁から頂部８１ａまでの半径は外周縁から頂部８１ａまでの半径よりも小さい。
【００４１】
外周部８３は、図１１の（ｂ）及び図１２（ａ）に示すように、シェード本体部８１の外周縁から裏側に鍔状に突出する。外周部８３の外周面におけるシェード本体部８１側の端部は外方へと張り出す張出部分８３ａとなっている。つまり、外周部８３の外周面は段差状となっている。
外周部８３は、図１２の（ａ）に示すように、フレーム７の溝７８ａに挿入される。なお、筒状部７３の段差７３ｂに配されるパッキン６５は外周部８３の張出部分８３ａにより圧縮されて、シール機能を発揮する。
外周部８３は、図３及び図４に示すように、周方向に間隔をおいて係合部分８３ｂを有している。係合部分８３ｂは上述したようにフレーム７の筒状部７３に設けられている被係合部分７３ａ（図１１の（ｂ）参照）と係合する。
【００４２】
内周部８５について図１２の（ｂ）及び図１３を用いて説明する。
内周部８５は、図１２の（ｂ）に示すように、シェード８をベース部材２の引掛刃保持部２５に装着するための装着機能を有している。シェード８は、図１の（ａ）に示すように、センターカバー９を着脱自在に装着する装着機能を有している。
内周部８５は、シェード本体部８１の内周縁から裏側（ベース部材２側）に延伸する筒部８５１と、筒部８５１の裏側端部から筒部８５１の中心軸に向かって延伸する延伸板部８５３（図１３参照）とを有している。
筒部８５１は、図１２の（ｂ）に示すように、引掛刃保持部２５の大径筒部分２５３ａと当接する又は近接する。なお、シェード８が引掛刃保持部２５に装着されると、筒部８５１は大径筒部分２５３ａと平行となる。
延伸板部８５３は、周方向に間隔をおいて複数個設けられている。ここでは、等間隔をおいて４個設けられている。延伸板部８５３は筒部８５１の裏側端から少し表側の移った位置から延伸する。延伸板部８５３は筒部８５１の中心部側が開口する長孔８５３ａを有する。長孔８５３ａには、図１４に示すように、固定具の一例であるねじ体８７が表側から挿通する。ねじ体８７は引掛刃保持部２５の段底部分２５３ｃのボス２５３ｆ（図６の（ｂ）及び図７の（ｂ）参照）のねじ孔２５３ｇ（図９の（ａ）参照）に螺合する。
【００４３】
内周部８５は、複数個の延伸板部８５３間に、筒部８５１とで表側が開口する溝８５５ａを形成する溝板部８５５を有している。溝板部８５５は、筒部８５１の裏側端から少し表側に移った位置から中心軸に向かって延伸する底板部分８５５ｂと、底板部分８５５ｂの内周端から表側に延伸する側板部分８５５ｃとを有する。溝８５５ａには図１５に示すセンターカバー９の筒部９３が嵌る。
底板部分８５５ｂの裏面と側板部分８５５ｃとに跨る部分には、図１３の（ｂ）に示すように、裏側に突出する突起８５５ｄが設けられている。突起８５５ｄは引掛刃保持部２５の段底部分２５３ｃの貫通孔２５３ｈに嵌る。これにより、シェード８のベース部材２に対する中心軸廻りの回転が規制される。
【００４４】
内周部８５は、シェード８をベース部材２及びフレーム７に装着（固定）したときに、図１２の（ｂ）に示すように、引掛刃保持部２５の小径筒部分２５３ｂの表面と略面一となるような内周板部８５７を有する。内周板部８５７は延伸板部８５３間に形成されている。これにより、センターカバー９を外したＬＥＤ照明装置１を設置面の被保持部に取り付ける際、引掛刃保持部２５の突出部分２５７ａ（図１４参照）を把持したときの安全性が向上する。
【００４５】
内周部８５は、図１２の（ｂ）に示すように、内周板部８５７と側板部分８５５ｃとを連結する連結板部を有する。連結板部は、図１３の（ａ）に示すように、内周板部８５７の表側端で連結する端連結板部８５９ａと、内周板部８５７の表側端よりも手前で連結する中連結板部８５９ｂとがある。
後述するセンターカバー９はシェード８に装着する際に中心軸周りに回転させる。装着させる際に回転させる方向を着方向とし、外す際に回転させる方向を脱方向とする。隣接する延伸板部８５３間には、図１３の（ｂ）に示すように、中連結板部８５９ｂ及び端連結板部８５９ａがある。着方向の上流側の端連結板部８５９ａを上端連結板部８５９ａとし、下流側の端連結板部８５９ａを下端連結板部８５９ａとする。なお、端連結板部８５９ａの面積が大きい方が下端連結板部である。
中連結板部８５９ｂにおいて脱方向側の端部は、脱方向に隣接する上端連結板部８５９ａに近づくにしたがって表側に移る傾斜面となっている。中連結板部８５９ｂは、脱方向に隣接する上端連結板部８５９ａと連続（接続）し、着方向に隣接する下端連結板部８５９ａとに連続（接続）していない。つまり、中連結板部８５９ｂと下端連結板部８５９ａとの間に隙間が存在する。
シェード８にセンターカバー９を装着する際にセンターカバー９を中心軸周りに回転させると、センターカバー９の係合片９５（図１５参照）が中連結板部８５９ｂの傾斜部分にガイドされて着方向に移動し、下端連結板部８５９ａに係合する。なお、下端連結板部８５９ａはセンターカバー９の係合片９５の被係合部である。
内周部８５は中連結板部８５９ｂと底板部分８５５ｂとを筒部８５１の裏側端から少し表側に移った位置に有している（図１３の（ｂ）参照）。このため、シェード８を引掛刃保持部２５の段底部分２５３に固定した際に、筒部の８５１の裏側端と側板部分８５５ｃの裏側端が２重の凸条として段底部分２５３に当接する。これにより虫の侵入を防止できる。
【００４６】
（６）センターカバー
主に図１５を用いて説明する。
センターカバー９は透光性カバー６の中央にある開口６ａを塞ぐ機能を有している。
センターカバー９は、開口６ａを塞ぐカバー本体部９１と、カバー本体部９１の周縁から裏側に延伸する筒部９３とを有している。筒部９３はシェード８の溝８５５ａに挿入される。
センターカバー９はシェード８の被係止部である下端連結板部８５９ａに係合する係合片９５を有している。係合片９５は周方向に間隔をおいて複数個（例えば４個である。）設けられている。なお、係合片９５の周方向の先端部はカバー本体部９１と離間している。この離間している部分が下端連結板部８５９ａに係合する。
係合片９５は、カバー本体部９１の裏面から立設し、周方向へと延びる。複数（ここでは４個である）の係合片９５うち、対向する１組の係合片９５は中心軸側の面に当該中心軸に向かう凸部分９５ａを有している。センターカバー９がシェード８に対して着方向に所定量回転したときに、凸部分９５ａがシェード８の内周板部８５７の欠け部分８５７ａに嵌まる。これにより、センターカバー９の脱方向の回転を防止できる。また、センターカバー９の回転作業による装着終了を取付者に知らせる合図にもなる。なお、凸部分９５ａと欠け部分８５７ａとの凹凸関係は逆であってもよい。
【００４７】
センターカバー９は、落下防止用の紐体９９（図１４参照）と連結される連結部９７を有している。紐体９９は、例えば紐・ワイヤー等が利用され、図１４に示すように、両端に連結具９９ａ，９９ｂが取り付けられている。連結具９９ｂは引掛刃保持部２５とシェード８とを固定するねじ体８７Ａを利用して固定され、連結具９９ａは固定具の一例であるねじ体２５７ｃを介してセンターカバー９の連結部９７（図１５参照）に固定される。
センターカバー９は樹脂材料により構成されている。ここでは、ポリカーボネートが利用されている。センターカバー９は表面にメッキ層を有している。これにより意匠性を高めることができる。
センターカバー９は図２に示すように透光性カバー６の表側端（頂部８１ａ）よりも設置面側に位置している。換言すると、シェード８における設置面からの最大距離が、センターカバー９における設置面からの最大距離よりも長い。これにより、ＬＥＤモジュール３から出射された光がセンターカバー９により遮られるのを防止できる。
【００４８】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００４９】
＜変形例＞
１．ベース部材
（１）全体
実施形態に係るベース部材２のベース板２１は金属（スチール）製であったが、例えばＬＥＤ素子への投入電力を小さくして、ＬＥＤ素子の温度上昇を抑制できればベース板を樹脂製構成してもよい（この場合ベース部材すべてを樹脂材料により構成することになる）。この場合、ＬＥＤ基板３３や回路基板４３との絶縁性を確保しやすくなる。
ベース部材２のベース板２１の表面及び裏面に例えば絶縁性の樹脂材料を塗布してもよい。ベース板２１の表面に、例えば反射シートを配してもよいし、反射塗料（白色塗料）を塗布してもよいし、熱伝導性の高い熱シートを配してもよい。また、白のカラー鋼板を用いてもよい。
実施形態では、ベース板２１と引掛刃保持部２５とが一体成形品（アウトサート成形品）で構成されていたが、別体で構成し、引掛刃保持部をベース板にねじ等の固定具を利用して固定する構成であってよい。
【００５０】
（２）ベース板
実施形態のベース板２１はスチール製であったが、他の金属、例えばアルミニウムを炉用してもよい。ベース板２１の外観形状は円形状をしていたが、他の形状、例えば、三角形、四角形（正方形及び長方形を含む）、六角形等の多角形状でもよいし、楕円状や長円状でもよい。
ベース板２１の外周部（外周方向凹入部２１７や外周方向突出部２１９である。）に透光性カバー６を固定する固定部が構成されている。しかしながら、固定部の形状や固定方法は、特に限定するものでない。例えば、ベース板の外周部を平坦状に構成し、透光性カバーのベース板２１の外周部への固定部分を平坦状にし、平坦部分同士を当接させて固定具の一例であるリベットで固定するようにしてもよい。
【００５１】
（３）引掛刃保持部
引掛刃保持部２５は底部２５７に少なくとも引掛刃２８１を有すればよい。例えば、筒部２５３は段付なし筒部であってもよいし、把持部として機能する突出部分２５７ａを有しなくてもよいし、ロック機構２８３も別の部位に有してもよい。例えば引掛刃保持部２５の筒部２５３を段付なし筒部とする場合、シェード８の内周部８５の筒部８５１を引掛刃保持部の筒部に固定すれば実施できる。
筒部２５３の横断面形状は、センターカバー９に対応していればよく、センターカバーの筒部が多角形状であれば、引掛刃保持部の筒部の開口側の断面を多角形状にすればよい。
引掛刃保持部２５の筒部２５３はベース板２１の裏側に形成されていたが、表側に延出するように形成されてもよい。但し、ＬＥＤ素子から出射された光の配光制御を考慮すると、ベース板２１からの延出量は少ない方が好ましい。
実施形態の筒部２５３は、センターカバー９を装着・固定する機能を有していないが、引掛刃保持部２５はセンターカバー９を装着・固定する機能を有してもよい。この場合、例えば、シェード８の内周部８５と同じような構造を引掛刃保持部２５の筒部２５３の大径筒部分２５３ａと段底部分２５３ｃを利用して設けることで実施できる。なお、シェード８の内周部８５がなくなり、虫・粉塵等が侵入するような場合、シェードの内周部と引掛刃保持部の筒部との間にパッキンを配すればよい。
【００５２】
２．ＬＥＤモジュール
実施形態のＬＥＤモジュール３は、表側から見たときに台形状をしているが、他の形状、例えば、台形が２つ結合したような「Ｖ」字状であってもよいし、円弧状であってもよいし、長方形状、正方形状であってもよい。
実施形態のＬＥＤモジュール３は全体として円環状（正確には正八角環状である）をしているが、例えば、全体として、長方形状であってもよいし、正方形状であってもよい。
また、ＬＥＤ基板を円弧状にして、全体として円環状をするようにしてもよい。
実施形態のＬＥＤモジュール３は調光・調色可能であったが、発光色を一種類としてもよい。
また、ＬＥＤモジュールの出射面（表面）に、ＬＥＤ素子３１等に重ならないように白色等の反射シートを配置したり、反射塗装を行って、ＬＥＤモジュール３の光の取出効率を上げる施策を実施してもよい。
【００５３】
３．電源回路ユニット
実施形態の回路基板４３は表面（ベース板２１と対向する側の面）に配線パターンを有していたが、裏面に配線パターンを有する回路基板の裏面に回路部品をすべて実装してもよいし、両面に配線パターンを有する回路基板の表裏面に回路部品を実装してもよい。
回路基板４３は、ベース板２１の裏側の一部領域を占める大きさであったが、例えば、裏側の大部分を占める大きさであってもよい。大きな回路基板を用いて回路部品を分散して実装することで回路部品及び回路部品の周辺の温度上昇を抑制できる場合、電源回路カバー５は連通部５１９を有しなくてもよい。
実施形態の電源回路ユニット４は１つの回路基板４３を有しているが、例えば複数枚の回路基板を有してもよい。この場合、例えば、１つの回路基板に調光回路や電圧変換回路用の回路部品を実装し、他の回路基板に調色回路用の回路部品を実装してもよい。
実施形態の電源回路ユニット４はベース板２１の裏面側に配されていたが、表側に配されてもよい。この場合電源回路カバー５が不要となる。また、電源回路ユニットを電源回路カバーに装着するようにしてもよい。
実施形態では、金属製のベース板２１との間に絶縁シート４９を配しているが、例えば、ベース板の裏面に絶縁塗料を塗布することで絶縁シートを排除してもよいし、例えば、バース板と回路基板との間隔を大きくするために短冊状のスペーサ（絶縁性樹脂材料からなる）を介在させてもよい。さらに、ベース板２１と接する回路基板４３面にシリコンでコーティングしてもよい。
実施形態のＬＥＤ照明装置１は電源回路ユニット４を備えているが、例えば、装置外部に配された電源回路ユニットから電力を受電してもよい。
【００５４】
４．電源回路カバー
実施形態の電源回路カバー５は、筒状部５１１と底部５１３とに跨るように連通部５１９を有しているが、例えば筒状部に連通部を設けてもよいし、筒状部と底部とに独立した形態で連通部を設けてもよい。
実施形態の電源回路カバー５の筒状部５１１は円筒状をしているが、例えば、四角筒状等の多角筒状であってもよいし、筒状部を有しない例えばドーム状であってもよい。
【００５５】
５．カバー（透光性カバー）
実施形態のカバー６はフレーム７とシェード８とから構成されていたが、主にＬＥＤモジュール３を覆うシャードだけで構成してもよい。また、カバー６は、センターカバー９を含んでもよい。
【００５６】
フレーム７は導光性を有する透光性樹脂を利用しているが、例えば、シェード８と同様に透光性樹脂（ポリプロピレン）で構成してもよい。光の導光性を変更する場合は、フレーム７の厚みや形状、シボ加工領域を調整することにより調整することができる。さらに、フレーム７の筒状部７３、内円環部７５、コ字円環部７７の一部または全部にシボ加工をすることにより、シェード８との嵌合部分８３ｂを表側から見えないようにすることもできる。また、フレームは導光性や透光性を有しない材料により構成してもよい。
フレーム７は内円環部７５とコ字円環部７７と有しているが、例えば、コ字円環部７７を有さない構成とし、内円環部をベース板に固定するようにしてもよい。フレーム７は筒状部７３と内円環部７５とコ字円環部７７を有しているが、内円環部７５とコ字円環部７７とを有さない構成とし、筒状部における裏側端にベース板を固定するようにしてもよい。但し、金属製のベース板を用いた場合、ＬＥＤ照明装置の軽量化を考慮すると、ベース板を小さくして、フレームを大きくする方が好ましい。
【００５７】
シェード８は開口（６ａ）を中央に有していたが、開口を有さない構成であってもよい。この場合、引掛刃の被取付部への取り付けが少し困難になるが、ＬＥＤモジュールを覆う保護カバーは不要となり、光の取出効率を向上させることはできる。光の取出効率を高くする場合は、シェード８の厚みや、混入させている拡散剤の量を調整することにより調整することができる。
シェード８のシェード本体部８１の頂部８１ａの位置は、ＬＥＤ照明装置１の使用畳数の配光特性に合わせて適宜決定すればよい。
【００５８】
６．センターカバー
実施形態のセンターカバー９は、カバー６に対して着脱自在に装着されているが、例えばセンターカバーを透光性樹脂で構成し、カバーに対して固定するようにしてもよい。この場合、センターカバーは透過性を有することになり、引掛刃の被取付部への取り付けが容易になる。また、センターカバーに照度センサや人感センサを設けて、ＬＥＤ照明装置１の動作を制御する構成にしてもよい。
【符号の説明】
【００５９】
１    照明装置
２    ベース部材
３    ＬＥＤモジュール
４    電源回路ユニット
５    電源回路カバー
６    カバー（透光性カバー）
２１    ベース板
２５    引掛刃保持部
【図１】
2018060608.tif 000003
【図２】
2018060608.tif 000004
【図３】
2018060608.tif 000005
【図４】
2018060608.tif 000006
【図５】
2018060608.tif 000007
【図６】
2018060608.tif 000008
【図７】
2018060608.tif 000009
【図８】
2018060608.tif 000010
【図９】
2018060608.tif 000011
【図１０】
2018060608.tif 000012
【図１１】
2018060608.tif 000013
【図１２】
2018060608.tif 000014
【図１３】
2018060608.tif 000015
【図１４】
2018060608.tif 000016
【図１５】
2018060608.tif 000017